(57)【要約】【課題】ネットワーク機能を備えた再生装置であって、使用するサーバまたは再生情報が予め決まっている運用形態において利便性を向上することが可能な再生装置を提供する。【解決手段】本発明の再生装置は、再生情報の再生を行う再生処理部と通信部とを備えている。また、通信網に接続された所定の情報処理装置を検出し、この情報処理装置が記録している所定の再生情報を取得し、取得した再生情報を再生する再生情報取得部を備えている。また、複数の情報処理装置が検出された場合に、情報処理装置の詳細を示す一覧情報を生成して出力する設定部を備える。設定部はさらに、再生情報の取得先とする情報処理装置の指定を、この一覧情報を用いて受け付ける。また設定部は、再生情報の取得先として常に使用する情報処理装置の指定を、一覧情報を用いて受け付ける。再生情報取得部は、上記で指定された情報処理装置に対して、再生情報の取得要求を送信する。【選択図】図３
2012129891.tif 000002
【特許請求の範囲】
【請求項１】
画像または音声を含む再生情報の再生を行う再生処理部と、
通信網に接続されて通信を行う通信部とを備えた再生装置において、
前記通信網に接続された情報処理装置であって予め定められた識別情報を持つ情報処理装置を前記通信部を用いて検出し、前記情報処理装置が記録している予め定められた再生情報を取得するよう前記通信部を制御し、取得した該再生情報を再生するよう前記再生処理部を制御する再生情報取得部を備えること
を特徴とする再生装置。
【請求項２】
複数の前記情報処理装置が前記通信部により検出された場合に、複数の前記情報処理装置の詳細を示す一覧情報を生成して出力し、前記再生情報の取得に用いる前記情報処理装置の指定を前記一覧情報を用いて受け付ける設定部を備えること
を特徴とする請求項１に記載の再生装置。
【請求項３】
前記設定部は、前記再生情報の取得指示の検知時おいて常に前記再生情報の取得要求の送信対象とする前記情報処理装置の指定を、前記一覧情報を用いて受け付け、
前記再生情報取得部は、前記再生情報の取得指示を検知した時点で、前記設定部が受け付けた該情報処理装置に対して常に前記取得要求を送信すること
を特徴とする請求項２に記載の再生装置。
【請求項４】
操作指示を受け付ける操作部と、
情報を記録する記録部と、
画像信号を生成する画像信号生成部とを備え、
前記設定部は、前記再生情報の取得指示が検知された場合に一度だけ前記取得要求の送信対象とする情報処理装置、または常に前記取得要求の送信対象とする情報処理装置の選択指示を受け付けるための画像を含む画像信号を生成するよう前記画像信号生成部を制御し、前記選択指示を前記操作部を用いて受け付け、受け付けた該選択指示を前記記録部に記録し、
前記前記再生情報取得部は、前記再生情報の取得指示を検知した時点で、該選択指示を読み出して参照することにより前記取得要求の送信対象とする前記情報処理装置を決定すること
を特徴とする請求項３に記載の再生装置。
【請求項５】
前記再生情報取得部は、前記情報処理装置に接続された表示装置へ出力するために前記情報処理装置が生成する画像を含む前記再生情報の取得要求を、前記情報処理装置に対して送信すること、
を特徴とする請求項４に記載の再生装置。
【発明の詳細な説明】
【技術分野】
【０００１】
本発明は、画像または音声の再生を実施可能な再生装置に関するものであり、特にネットワーク通信機能を備えた再生装置に関する。
【背景技術】
【０００２】
近年、テレビ等の画像装置において処理される画像や音声の再生を行うための装置として、ＶＣＲ（Video Cassette Recorder）、ＤＶＤ（Digital Versatile Disk）プレーヤ、またはＢＤ（Blu-ray Disc：登録商標）プレーヤ等の再生装置が普及している。また、これら複数の再生装置を一装置にまとめた複合機も普及している。
【０００３】
これらの再生装置の中には、ＬＡＮ（Local Area Network）等の通信網に接続して所定のサーバより情報を取得する機能、いわゆるネットワーク機能を備えた再生装置が普及している。ネットワーク機能を用いることにより、例えば画像や音声を含む再生情報をメディアサーバから取得して再生する処理（以下、「取得再生処理」という）を実施することができる。
【０００４】
従来の取得再生処理の概要を、図８のフロー図を用いて説明する。なお図８に示す処理は、再生装置が通電されており、且つメディアサーバが再生装置からのアクセスを許可している再生情報（以下「公開ファイル」という）の取得指示が検知された時点で開始される。
【０００５】
本処理の開始後、ステップＳ９１０において、通信網を介して接続されているメディアサーバを検索する。そしてステップＳ９２０において、検索されたメディアサーバをリスト化して表示する。
【０００６】
次にステップＳ９３０において、リストアップしたメディアサーバ一覧を用いて、接続するメディアサーバの指定をユーザより受け付ける。そしてステップＳ９４０において、指定されたメディアサーバより公開ファイル一覧を示すファイルリストを取得し、表示する。
【０００７】
次にステップＳ９５０において、ファイルリストを用いて、取得する公開ファイルの指定をユーザより受け付ける。そしてステップＳ９６０において、指定された公開ファイルを取得し、再生する。これにより、取得再生処理が完了される。
【０００８】
上記のような取得関連処理を実施する装置として、例えば特許文献１には、ネットワークに接続されたメディアサーバから所望の再生情報を抽出できると共に、その再生情報に適合する再生機能を選択することが可能な再生装置が開示されている。この再生装置は、再生装置から再生機能の情報を取得する。そして所定の再生情報に適合する再生機能を判別し、判別した再生機能を利用して再生情報を再生するよう、メディアサーバ及び再生装置を制御する。
【０００９】
また上記問題に関連して特許文献２には、各情報機器に保持される再生情報を自動収集して編集するのに好適な管理方法が開示されている。この管理方法は、複数の情報機器から各再生情報の特徴点評価を収集し、収集された特徴点評価を記録する。そして情報機器から再生情報が要求された場合に、記録された特徴点評価を検索して要求に適した特徴点評価を有する再生情報を選択する。そして選択した再生情報の所在情報を情報機器に通知する。
【００１０】
また上記問題に関連して特許文献３には、ネットワークを容易に構築することが可能な情報処理装置が開示されている。この情報処理装置は、選択された再生情報が外部接続機器で実行される場合に、選択された再生情報に対応するデータの所在情報を、外部接続機器に対して通知する。また、外部接続機器における再生情報の再生状態を表す再生状態情報を、外部接続機器から取得する。
【先行技術文献】
【特許文献】
【００１１】
【特許文献１】特開２００８−３１１７９３号公報
【特許文献２】特開２００９−２９０６５１号公報
【特許文献３】特開２００９−２９０５５７号公報
【発明の概要】
【発明が解決しようとする課題】
【００１２】
しかしながら上記の特許文献１〜特許文献３に示されているような従来の装置または方法においては、ネットワーク上に複数のサーバが存在した場合、再生機側においてユーザがサーバリストからサーバを選択し、さらに再生する公開ファイルを選択するという手順が必要であった。従って、ユーザが使用するサーバ及び公開ファイルが予め決まっている運用形態においては、ユーザに煩わしさを感じさせるという問題があった。
【００１３】
本発明の目的は、ネットワーク機能を備え、ネットワークを介してサーバより公開ファイルを取得して再生する再生装置であって、使用するサーバ及び公開ファイルが予め決まっている運用形態においてユーザの利便性を向上することが可能な再生装置を提供することにある。
【課題を解決するための手段】
【００１４】
上記目的を達成するために本発明の再生装置は、画像または音声を含む再生情報の再生を行う再生処理部と、通信網に接続されて通信を行う通信部とを備えた再生装置において、前記通信網に接続された情報処理装置であって予め定められた識別情報を持つ情報処理装置を前記通信部を用いて検出し、前記情報処理装置が記録している予め定められた再生情報を取得するよう前記通信部を制御し、取得した該再生情報を再生するよう前記再生処理部を制御する再生情報取得部を備えることを特徴としている。
【００１５】
これによると、本発明の再生装置は、再生情報の再生を行う再生処理部と、通信網に接続されて通信を行う通信部とを備えている。また、通信網に接続された所定の情報処理装置を通信部を用いて検出し、この情報処理装置が記録している所定の再生情報を取得し、取得した再生情報を再生する再生情報取得部を備えている。
【００１６】
また上記目的を達成するために本発明の再生装置は、複数の前記情報処理装置が前記通信部により検出された場合に、複数の前記情報処理装置の詳細を示す一覧情報を生成して出力し、前記再生情報の取得に用いる前記情報処理装置の指定を前記一覧情報を用いて受け付ける設定部を備えることを特徴としている。
【００１７】
これによると、本発明の再生装置は、複数の情報処理装置が検出された場合に情報処理装置の詳細を示す一覧情報を生成して出力する設定部を備える。設定部はさらに、再生情報の取得に用いる情報処理装置の指定を、この一覧情報を用いて受け付ける。
【００１８】
また上記目的を達成するために本発明の再生装置が備える前記設定部は、前記再生情報の取得指示の検知時おいて常に前記再生情報の取得要求の送信対象とする前記情報処理装置の指定を、前記一覧情報を用いて受け付け、前記再生情報取得部は、前記再生情報の取得指示を検知した時点で、前記設定部が受け付けた該情報処理装置に対して常に前記取得要求を送信することを特徴としている。
【００１９】
これによると、設定部は、再生情報の取得要求の送信対象として常に使用する情報処理装置の指定を、一覧情報を用いて受け付ける。また再生情報取得部は、再生情報の取得指示を検知した時点で、設定部が上記で受け付けた情報処理装置に対して、常に再生情報の取得要求を送信する。
【００２０】
また上記目的を達成するために本発明の再生装置は、操作指示を受け付ける操作部と、情報を記録する記録部と、画像信号を生成する画像信号生成部とを備え、前記設定部は、前記再生情報の取得指示が検知された場合に一度だけ前記取得要求の送信対象とする情報処理装置、または常に前記取得要求の送信対象とする情報処理装置の選択指示を受け付けるための画像を含む画像信号を生成するよう前記画像信号生成部を制御し、前記選択指示を前記操作部を用いて受け付け、受け付けた該選択指示を前記記録部に記録し、前記前記再生情報取得部は、前記再生情報の取得指示を検知した時点で、該選択指示を読み出して参照することにより前記取得要求の送信対象とする前記情報処理装置を決定することを特徴としている。
【００２１】
これによると、本発明の再生装置は、操作部、記録部、及び画像信号生成部とを備えている。設定部は、一度だけ取得要求の送信対象とする情報処理装置、または常に取得要求の送信対象とする情報処理装置の選択指示を受け付けるための画像を、画像信号生成部で生成する。そしてこの選択指示を操作部により受け付け、指示内容を記録部に記録する。再生情報取得部は、再生情報の取得指示を検知した時点で、記録されている指示内容を読み出して参照することにより、取得要求先とする情報処理装置を決定する。
【００２２】
また上記目的を達成するために本発明の再生装置が備える前記再生情報取得部は、前記情報処理装置に接続された表示装置へ出力するために前記情報処理装置が生成する画像を含む前記再生情報の取得要求を、前記情報処理装置に対して送信することを特徴としている。
【００２３】
これによると、情報処理装置は、情報処理装置に接続された表示装置へ出力するために生成した画像を含む再生情報を、配信用の再生情報として蓄積している。再生情報取得部は、上記の配信用の再生情報を取得するための取得要求を、情報処理装置に対して送信する。
【発明の効果】
【００２４】
本発明によれば、情報処理装置より取得する再生情報が予め決まっている運用形態において、最初に応答のあった情報処理装置に接続し、この情報処理装置から特定の再生情報を取得して再生する。このためユーザは、取得する再生情報の指定を行う必要がないため、利便性の向上を図ることができる。
【００２５】
本発明によれば、再生情報の取得に用いる情報処理装置が予め決まっている運用形態において、応答のあった複数の情報処理装置の中から用いる情報処理装置の指定を受け付け、指定された情報処理装置より特定の再生情報を取得して再生する。このため、ユーザの意図しない情報処理装置より再生情報が取得されるのを回避することができる。
【００２６】
また本発明によれば、取得する再生情報及び取得に用いる情報処理装置が予め決まっている運用形態において、次回より自動取得に用いる情報処理装置の指定をユーザより受け付けて記録する。このためユーザは、取得に用いる情報処理装置を一度指定すれば以降は指定を行う必要がなく、従って利便性の向上を図ることができる。
【図面の簡単な説明】
【００２７】
【図１】本発明の再生装置の機能部の構成を示すブロック図である。
【図２】本発明の再生装置の内部構成を示すブロック図である。
【図３】本発明の第一の実施形態に係る取得再生処理を示すフロー図である。
【図４】本発明の第二の実施形態に係るサーバ選択画面を示す画面図である。
【図５】本発明の第二の実施形態に係る取得再生処理を示すフロー図である。
【図６】本発明の第三の実施形態に係るサーバ選択画面を示す画面図である。
【図７】本発明の第三の実施形態に係る取得再生処理を示すフロー図である。
【図８】従来の取得再生処理を示すフロー図である。
【発明を実施するための形態】
【００２８】
以下に本発明の一実施形態を、図面を参照しつつ説明する。なお、ここで示す実施形態は一例であり、本発明はここに示す実施形態に限定されるものではない。
〈１−１．内部構成について〉
【００２９】
図２は、本発明の第一の実施形態に係るＢＤプレーヤ１（＝再生装置）の内部構成を示すブロック図である。なお、図２における矢印線は画像／音声データの流れを示している。また、矢印のない直線は、制御部１１が各装置に対する制御信号等を送受信するための通信バスを示している。
【００３０】
ＢＤプレーヤ１は少なくとも、制御部１１、メモリ１２（＝記録部）、操作部１３、フラッシュメモリ１４（＝記録部）、ＨＤＤ１５、光ディスクドライブ１６、放送受信部１７、信号処理部１８、ＯＳＤ（On-Screen Display）処理部１９（＝画像信号生成部）、外部接続端子２０、及び通信Ｉ／Ｆ部２１（＝通信部）を含むように構成されている。なおＢＤプレーヤ１に外部接続される電子装置として、ディスプレイ２及びメディアサーバ３（＝情報処理装置）が存在する。
【００３１】
制御部１１は、ＢＤプレーヤ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する録画再生部１１ａ〜公開ファイル取得部１１ｄ（図１）を備えている。
【００３２】
メモリ１２は、ＢＤプレーヤ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３３】
操作部１３は、ユーザがＢＤプレーヤ１に対して、画像／音声の再生指示等を行うためのものである。操作部１３は、例えばＢＤプレーヤ１のハウジングに設けられた複数のボタンや、図示しないリモコン及びリモコン信号受信部等を含む。操作部１３はこれらの装置により、ユーザ操作を受け付ける。ユーザ操作が受け付けられると、制御部１１は、操作内容に基づいて再生処理や記録処理等を行う。
【００３４】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００３５】
ＨＤＤ１５は、デジタルデータを記録する磁気記録媒体である。本実施形態では主に、放送波に含まれる画像／音声データから生成される録画データを記録するのに用いられる。
【００３６】
光ディスクドライブ１６は、ＢＤメディア、或いはＤＶＤメディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００３７】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００３８】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。
【００３９】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。これにより得られたデジタル信号は、記録する場合はＨＤＤ１５へ与えられる。またディスプレイ２等に出力する場合は、外部接続端子２０へ与えられる。
【００４０】
ＯＳＤ処理部１９は、画像信号を生成する機能部である。ＯＳＤ処理部１９は、ＢＤプレーヤ１が出力すべき情報をユーザが視認できる画像データに変換し、変換した画像データをディスプレイ２に表示するための画像信号を生成する。生成された画像信号は、外部接続端子２０より出力される。
【００４１】
外部接続端子２０は、例えばＨＤＭＩ（High Definition Multimedia Interface）端子やＵＳＢ（Universal Serial Bus）端子等を含む、複数の入出力端子からなるインタフェースである。外部接続端子２０はこれらの入出力端子を用いて、ＢＤプレーヤ１と外部の装置、例えばディスプレイ２を接続し、デジタル信号またアナログ信号の入出力を行う。
【００４２】
通信Ｉ／Ｆ部２１は、ＢＤプレーヤ１を通信ネットワークと接続するための物理的なインタフェースである。通信Ｉ／Ｆ部２１は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００４３】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００４４】
メディアサーバ３は、ネットワークに接続された情報処理装置であり、特定のサーバ名（＝識別情報）を持つ。メディアサーバ３は、サーバＰＣに保存されている動画や音楽等の電子ファイルをデータベース化し、公開している。
【００４５】
メディアサーバ３としては例えば、ＵＰｎＰ（Universal Plug and Play）等の通信技術を用いたＤＬＮＡ（Digital Living Network Alliance）サーバを用いる。ただし本実施形態のメディアサーバ３は、一般的なＤＬＮＡサーバの機能に加え、メディアサーバ３に接続された不図示の専用ディスプレイ（＝表示装置）に表示する画面を常にキャプチャしつづけ、キャプチャ動画を含む動画ファイル（＝再生情報）を生成する機能を備える。
【００４６】
メディアサーバ３は、このキャプチャ動画を含む動画ファイルに対して外部からのアクセスを許可し、配信する機能を備える。メディアサーバ３は、アクセスを許可する動画ファイル（以下「公開ファイル」という）に対するアクセス要求（＝取得要求）を検知した場合に、要求元に対して、要求された公開ファイルを送信する。
【００４７】
これによりＢＤプレーヤ１等の再生側機器は、この公開ファイルを、ネットワークを介して取得して再生することが可能である。つまり、メディアサーバ３が専用ディスプレイに表示する画面を、遠隔地にあるＢＤプレーヤ１に接続されたディスプレイ２等に映し出すことが可能である。
〈１−２．機能部の構成について〉
【００４８】
ここで、本発明の第一の実施形態に係るＢＤプレーヤ１が公開ファイルの取得再生処理を実施するための各機能部の関係を、図１のブロック図を用いながら説明する。なお、図１における破線矢印線は、制御信号の流れを示している。
【００４９】
図１に示すように本発明の取得再生処理は、制御部１１が備える録画再生部１１ａ（＝再生処理部）、通信制御部１１ｂ、設定部１１ｃ、及び公開ファイル取得部１１ｄ（＝再生情報取得部）により実施される。
【００５０】
録画再生部１１ａはＨＤＤ１５に対する録画データの記録や、光ディスクドライブ１６に装着された光ディスクの再生処理等の統括制御を行う。また録画再生部１１ａは、後述する公開ファイル取得部１１ｄにより取得された動画ファイルの再生処理を行う。なお再生処理においては、動画ファイルのフォーマットに応じたコーデックをフラッシュメモリ１４等から読み出し、動画ファイルをデコードしてデジタルデータ生成し、信号処理部１８へ与える。
【００５１】
通信制御部１１ｂは、通信Ｉ／Ｆ部２１により接続された外部装置、例えばメディアサーバ３等と相互通信を行うための通信制御を行う。これにより、メディアサーバ３に対してアクセス要求（＝取得要求）を送信したり、アクセス要求に対して返信される公開ファイルを受信したりする。また通信制御部１１ｂは、通信Ｉ／Ｆ部２１が無線アンテナを備える場合、無線通信網を介した無線通信の制御を行う役割も持つ。
【００５２】
設定部１１ｃは、ＢＤプレーヤ１が公開ファイルの取得再生処理を行うための各種設定を、ユーザより受け付ける。設定内容には例えば、メディアサーバ３のマシン名の指定や、メディアサーバ３より取得する公開ファイルのファイル名の指定等が含まれる。
【００５３】
公開ファイル取得部１１ｄは、ネットワーク上で特定のマシン名を持つメディアサーバ３を検出する。そしてこのメディアサーバ３が公開している公開ファイルを取得するためのアクセス要求を、通信制御部１１ｂを用いて送信する。なおアクセス要求を行うための通信信号のフォーマットは、予めメディアサーバ３との間で取り決めが行われているものとする。次に、公開ファイル取得部１１ｄが実施する取得再生処理の詳細について説明する。
〈１−３．取得再生処理について〉
【００５４】
ここで、本発明の第一の実施形態に係るＢＤプレーヤ１が実施する取得再生処理を、図３のフロー図を用いながら説明する。なお図３に示す処理は、ＢＤプレーヤ１が通電されている状態において、取得再生処理の実行指示が検知された時点で開始される。なお取得再生処理の実行指示は例えば、操作部１３に含まれる所定ボタンが押下された場合等に発行される。
【００５５】
本処理の開始後、公開ファイル取得部１１ｄはステップＳ１１０において、通信網を介して接続されているメディアサーバ３の検索を開始する。具体的には例えば、所定のネットワークに対して、予め定められた信号フォーマットに基づいて生成した通信信号をブロードキャストする。
【００５６】
次に公開ファイル取得部１１ｄはステップＳ１２０において、上記の通信信号に対する応答を待ち受け、所定条件を満たすメディアサーバ３からの応答があったか否かを判定する。所定条件としては例えば、マシン名に特定の文字列が含まれることを条件として用いる。例えば「メディアサーバ」という文字列を条件として用いる場合、「メディアサーバＡ」や「メディアサーバＢ」といったマシン名のメディアサーバ３が、条件を満たすこととなる。
【００５７】
次に公開ファイル取得部１１ｄはステップＳ１３０において、上記の判定結果に基づいて処理の分岐を行う。所定条件を満たすメディアサーバ３からの応答がなかった場合、本処理を終了する。応答があった場合、公開ファイル取得部１１ｄはステップＳ１４０において、応答があったメディアサーバ３に対してアクセス要求を送信する。
【００５８】
次に公開ファイル取得部１１ｄはステップＳ１５０において、上記で応答のあったメディアサーバ３を除く他のメディアサーバ３からの応答（以下、「遅延応答」という）があったか否かを判定する。ただし遅延応答の対象とするのは、上記の所定条件を満たすメディアサーバ３に限るものとする。
【００５９】
遅延応答がない場合、後述するステップＳ１６０へ移行する。遅延応答があった場合、公開ファイル取得部１１ｄはステップＳ１５１において、受け付けた遅延応答を無効化する。これにより、遅延応答を返したメディアサーバ３へのアクセス要求は行われない。
【００６０】
次に公開ファイル取得部１１ｄはステップＳ１６０において、上記でアクセス要求を行ったメディアサーバ３より、予め定められたファイル名の公開ファイルを取得する。そして取得した公開ファイルを再生するよう、録画再生部１１ａに指示する。これにより、公開ファイルに含まれる画像／音声がディスプレイ２より出力される。
【００６１】
以上に説明した本実施形態によれば、特定のメディアサーバ３が記録している特定の公開ファイルを再生するのに特化した機能をＢＤプレーヤ１に持たせることができる。これにより、予め取得対象となる公開ファイルが決まっている運用形態、例えばメディアサーバ３が専用ディスプレイに表示する画像を、公開ファイルとして取得してリモート表示する運用形態等において、ユーザ操作を簡略化し、利便性を向上させることが可能である。
[実施の形態２]
【００６２】
次に、本発明の第二の実施形態について説明する。
〈２−１．内部構成について〉
【００６３】
第一の実施形態と同じ構成であるため、説明を省略する。
〈２−２．機能部の構成について〉
【００６４】
第一の実施形態と同じ構成であるが、設定部１１ｃ及び公開ファイル取得部１１ｄの機能が一部異なる。第一の実施形態では、所定条件を満たすメディアサーバ３がネットワーク上に複数存在する場合に、公開ファイル取得部１１ｄが、最初に応答のあったメディアサーバ３を選択し、遅延応答を無効化している。この処理形態では、ユーザの待ち時間短縮が図れる反面、アクセス対象とするメディアサーバ３が予め決まっている運用形態において、ユーザの意図しないメディアサーバ３にアクセスする可能性がある。
【００６５】
本実施形態の公開ファイル取得部１１ｄは、メディアサーバ３の検出開始後、所定時間だけ複数のメディアサーバ３からの応答を待ち受け、遅延応答を無効化しない。そして設定部１１ｃが、応答のあった所定条件を満たすメディアサーバ３の一覧画面（＝一覧情報）を表示し、ユーザが希望するメディアサーバ３の選択を待ち受ける。
【００６６】
メディアサーバ３の選択待ち受けは、図４に示すサーバ選択画面９０を用いて行う。なおサーバ選択画面９０の表示は、設定部１１ｃがＯＳＤ処理部１９に対して画像信号の生成を指示することにより行う。これによって生成された画像信号は、ディスプレイ２へ出力される。
【００６７】
図４に示すサーバ選択画面９０は少なくとも、サーバ一覧９１及びカーソル９２を含むように構成されている。なお図４の内容はあくまで一例であり、サーバ選択画面９０の構成は、本発明の趣旨を逸脱しない範囲において適宜変更可能である。
【００６８】
図４に示す例では、サーバＡ〜サーバＣの三つのメディアサーバ３が、サーバ一覧９１に表示されている。この状態において、ユーザが操作部１３に含まれる操作キーを押下することにより、カーソル９２の移動操作が行われる。さらに、ユーザが操作部１３に含まれる決定キーを押下することにより、アクセス要求を送信するメディアサーバ３の決定操作が行われる。
【００６９】
図４の例では、「サーバＢ」にカーソル９２があわさっているため、この状態で所定キー、例えば決定キーが押下されると、「サーバＢ」がアクセス要求を送信するメディアサーバ３として決定される。
〈２−３．取得再生処理について〉
【００７０】
ここで、本発明の第二の実施形態に係るＢＤプレーヤ１が実施する取得再生処理を、図５のフロー図を用いながら説明する。なお図５に示す処理は、ＢＤプレーヤ１が通電されている状態において、取得再生処理の実行指示が検知された時点で開始される。
【００７１】
本処理の開始後、公開ファイル取得部１１ｄはステップＳ２１０において、通信網を介して接続されているメディアサーバ３の検索を開始する。具体的には例えば、所定のネットワークに対して、予め定められた信号フォーマットに基づいて生成した通信信号をブロードキャストする。
【００７２】
次に公開ファイル取得部１１ｄはステップＳ２２０において、上記の通信信号に対する応答を待ち受け、所定条件を満たすメディアサーバ３からの応答があったか否かを判定する。所定条件としては例えば、マシン名に特定の文字列が含まれることを条件として用いる。なお応答の待ち受けは所定時間、例えば３０秒間継続して行う。所定時間が経過すると設定部１１ｃは、所定時間内に応答のあった複数のメディアサーバ３を示すサーバ選択画面９０を、ＯＳＤ処理部１９により生成して出力する。
【００７３】
次に設定部１１ｃはステップＳ２３０において、サーバ選択画面９０に示されているメディアサーバ３の中から一つのメディアサーバ３が選択されるのを待ち受ける。
【００７４】
次に公開ファイル取得部１１ｄはステップＳ２４０において、上記で選択されたメディアサーバ３より、予め定められたファイル名の公開ファイルを取得する。そして取得した公開ファイルを再生するよう、録画再生部１１ａに指示する。これにより、公開ファイルに含まれる画像／音声がディスプレイ２より出力される。
【００７５】
以上に説明した本実施形態によれば、ネットワーク上に複数のメディアサーバ３が検出された場合に、接続するメディアサーバ３の選択をユーザより受け付ける。これにより、特定のメディアサーバ３が記録している特定の公開ファイルを再生するのに特化した機能をＢＤプレーヤ１に持たせる場合において、ユーザの意図しないメディアサーバ３の公開ファイルが再生される事態を回避できる。
[実施の形態３]
【００７６】
次に、本発明の第三の実施形態について説明する。
〈３−１．内部構成について〉
【００７７】
第一の実施形態と同じ構成であるため、説明を省略する。
〈３−２．機能部の構成について〉
【００７８】
第二の実施形態と同じ構成であるが、設定部１１ｃ及び公開ファイル取得部１１ｄの機能が一部異なる。第二の実施形態では、メディアサーバ３がネットワーク上に複数存在する場合、メディアサーバ３を選択するためのサーバ選択画面９０を表示し、ユーザが希望するサーバを選択できるようにしていた。
【００７９】
しかしながら上記の構成では、ユーザが使用するメディアサーバ３が常に決まっている運用形態においては、アクセスの度に不要な選択操作が発生し、ユーザに煩わしさを感じさせるという問題があった。
【００８０】
そこで本実施形態の設定部１１ｃは、ユーザが使用するメディアサーバ３が常に決まっている場合を想定して、常にアクセス要求の送信対象とするメディアサーバ３（以下、「自動接続サーバ」という）の指定をユーザより受け付けるためのサーバ選択画面９０を生成し、ディスプレイ２に表示する。
【００８１】
自動接続サーバが選択されると、公開ファイル取得部１１ｄは以降の取得再生処理の実施時において、選択されているメディアサーバ３へアクセス要求を送信し、応答が返ってきた時点で当該メディアサーバ３から公開ファイルを取得する。
【００８２】
本実施形態の設定部１１ｃが表示するサーバ選択画面９０は、図６に示すように、実施の形態２の図４に示すサーバ選択画面９０の構成に加え、チェックボックス９３を含んでいる。チェックボックス９３は、サーバ一覧９１に表示されている各サーバの横に表示される。
【００８３】
所定のサーバにカーソル９２があわさっている状態で、ユーザが操作部１３に含まれる所定のキー、例えば機能キーを押下すると、該当するメディアサーバ３のチェックボックス９３にチェックマーク（図中のＶ印）が表示される。チェックマークが付けられたメディアサーバ３の識別情報、例えばマシン名やＭＡＣ（Media Access Control）アドレスはメモリ１２等に記録され、次回の取得再生処理実施時に参照されて自動接続に用いられる。
〈３−３．取得再生処理について〉
【００８４】
ここで、本発明の第三の実施形態に係るＢＤプレーヤ１が実施する取得再生処理を、図７のフロー図を用いながら説明する。なお、第二の実施形態の図５と同内容の処理については、同じステップ番号を付加することにより説明を省略するものとする。
【００８５】
ステップＳ２１０の実施後、公開ファイル取得部１１ｄはステップＳ２１１において、自動接続サーバを示す設定情報がメモリ１２等に記録されているか否かを判定する。なおこの設定情報は、後述するステップＳ２３１の処理によって生成される。
【００８６】
上記の設定情報が記録されていない場合、ステップＳ２２０へ移行する。記録されている場合、公開ファイル取得部１１ｄはステップＳ２１２において、設定情報に示されているメディアサーバ３に対してアクセス要求を送信する。これは例えば、設定情報に含まれているメディアサーバ３のマシン名を用いて行う。そして、アクセス要求に対する返答の有無に応じて処理の分岐を行う。
【００８７】
メディアサーバ３からの応答が得られなかった場合、またはアクセスが拒否された場合、ステップＳ２２０へ移行する。応答が得られ、且つアクセスが許可された場合、公開ファイル取得部１１ｄはステップＳ２１３において、応答があったメディアサーバ３より所定のファイル名の公開ファイルを取得する。そして取得した公開ファイルを再生するよう、録画再生部１１ａに指示する。これにより、公開ファイルに含まれる画像／音声がディスプレイ２より出力される。
【００８８】
ステップＳ２２０へ戻って説明を行うと、ステップＳ２２０及びステップＳ２３０の実施後、ステップＳ２３１に移行する。設定部１１ｃはステップＳ２３１において、図６に示すサーバ選択画面９０に表示されているチェックボックス９３に、チェックマークが付与されるのを待ち受ける。
【００８９】
チェックマークが付与されると設定部１１ｃは、チェックマークが付与されたメディアサーバ３の識別情報を含む設定情報をメモリ１２等に記録した後、ステップＳ２４０へ移行する。なおこの設定情報は、次回の取得再生処理実施時のステップＳ２１１において参照される。
【００９０】
以上に説明した本実施形態によれば、ネットワーク上に複数のメディアサーバ３が検出された場合に、次回より自動接続するメディアサーバ３の指定をユーザより受け付けて記録する。これにより、特定のメディアサーバ３が記録している特定の公開ファイルを再生するのに特化した機能をＢＤプレーヤ１に持たせる場合において、アクセス要求が発生する度にユーザが選択操作を行う必要が無く、利便性を向上させることが可能である。
［その他の実施の形態］
【００９１】
以上、好ましい実施の形態及び実施例を挙げて本発明を説明したが、本発明は必ずしも上記実施の形態に限定されるものではなく、その技術的思想の範囲内において様々に変形して実施することができる。
【００９２】
従って本発明は、以下の形態にも適用可能である。
【００９３】
（Ａ）上記実施形態では、本発明の再生装置の一例としてＢＤプレーヤ１を例に挙げているが、再生情報を再生可能な再生装置であれば、これ以外の装置において本発明を実施する形態でもよい。例えば、ＤＶＤプレーヤやテレビジョン装置等を用いる形態であってもよい。
【００９４】
（Ｂ）上記実施形態では、本発明の取得再生処理に関わる各機能部が、マイクロプロセッサ等の演算処理装置上でプログラムを実行することにより実現されているが、各機能部が複数の回路により実現される形態でもよい。
【００９５】
（Ｃ）上記実施形態では、図４及び図６に示すサーバ選択画面９０を用いて複数のメディアサーバ３を選択可能としているが、ネットワークを介して応答が得られないメディアサーバ３が存在する場合、該当サーバをグレースケール表示する等により、ユーザが選択できないようにする形態でもよい。
【００９６】
（Ｄ）上記第三の実施形態では、図６に示すサーバ選択画面９０を用いて次回より自動接続するメディアサーバ３の指定を受け付けているが、メディアサーバ３が保持する公開ファイルの名称を併せてサーバ選択画面９０に表示することにより、次回より自動取得する公開ファイルの指定を受け付ける形態でもよい。
【符号の説明】
【００９７】
１      ＢＤプレーヤ（再生装置）
３      メディアサーバ（情報処理装置）
１１    制御部
１１ａ  録画再生部（再生処理部）
１１ｂ  通信制御部（通信部）
１１ｃ  設定部
１１ｄ  公開ファイル取得部（再生情報取得部）
１２    メモリ（記録部）
１３    操作部
１４    フラッシュメモリ（記録部）
１５    ＨＤＤ
１６    光ディスクドライブ
１７    放送受信部
１８    信号処理部
１９    ＯＳＤ処理部（画像信号生成部）
２０    外部接続端子
２１    通信Ｉ／Ｆ部（通信部）
【図１】
2012129891.tif 000003
【図２】
2012129891.tif 000004
【図３】
2012129891.tif 000005
【図４】
2012129891.tif 000006
【図５】
2012129891.tif 000007
【図６】
2012129891.tif 000008
【図７】
2012129891.tif 000009
【図８】
2012129891.tif 000010